(57)【要約】      （修正有）【課題】  衛星測位システム（ＳＰＳ）受信機において、衛星から直接ナビゲーション情報を取得することは時間がかかる。【解決手段】  無線通信装置（１０２）は、衛星測位システム（ＳＰＳ）受信機（１０４）と、衛星測位システム受信機に通信可能に接続された無線送受信機（１０６）とを含む。無線送受信機は、衛星測位システム支援情報、例えば、ＳＰＳ基準時間を無線通信ネットワークから受信し、受信された衛星測位システム支援情報用の整合性情報、例えば、ＳＰＳ基準時間オフセットを送信する。【選択図】図１
2006203861.tif 000002
【特許請求の範囲】
【請求項１】
無線通信ネットワークと通信可能な無線通信装置における方法であって、
位置特定支援情報を前記無線通信ネットワークから受信することであって、前記位置特定支援情報は、前記無線通信装置の位置を決定するための情報を取得する際、前記無線通信装置を支援するためのものである、前記位置特定支援情報を受信すること、
前記無線通信ネットワークに前記位置特定支援情報用の整合性情報を通知すること、
を備える方法。
【請求項２】
請求項１に記載の方法において、
前記無線通信装置は、衛星測位システム使用可能無線通信装置であり、
位置特定支援情報を受信することは、衛星測位システム支援情報を受信することを含み、
前記衛星測位システム支援情報は、前記衛星測位システム情報を取得する際、前記衛星測位システム使用可能無線通信装置を支援するためのものであり、
前記整合性情報を通知することは、前記無線通信ネットワークに衛星測位システム支援整合性情報を通知することを含む、方法。
【請求項３】
請求項２に記載の方法において、前記衛星測位システム支援情報整合性を通知することは、前記衛星測位システム支援情報用の誤差情報を決定することを含む、方法。
【請求項４】
請求項２に記載の方法において、前記衛星測位システム支援情報整合性を通知することは、
衛星測位システム基準時間情報、
前記衛星測位システム使用可能無線通信装置用の概算位置情報、
衛星ナビゲーションモデル化情報の内の１つための整合性情報を通知することを含む、方法。
【請求項５】
請求項２に記載の方法において、前記衛星測位システム支援情報整合性を通知することは、前記衛星測位システム支援情報用の妥当性情報を通知することを含む、方法。
【請求項６】
請求項２に記載の方法において、前記衛星測位システム支援情報整合性を通知することは、前記衛星測位システム支援情報用の品質情報を通知することを含む、方法。
【請求項７】
請求項２に記載の方法であって、
前記無線通信ネットワークから前記衛星測位システム支援情報を受信することは、衛星測位システム基準時間情報を受信することを含み、
衛星測位システム基準時間情報は、ネットワーク遅延が補正された衛星測位システム時間であり、
衛星測位システム支援情報整合性を通知することは、前記無線通信ネットワークに衛星測位システム基準時間オフセット情報を通知することを含む、方法。
【請求項８】
請求項１に記載の方法において、前記位置特定支援情報を受信することは、
衛星測位システム基準時間情報、
衛星測位システム・ナビゲーション・モデル化情報、
前記無線通信装置用の概算位置情報、
信号取得情報、
の内のいずれか１つを受信することを含む、方法。
【請求項９】
請求項１に記載の方法において、
前記位置特定支援情報を受信することは、位置特定信号取得情報及び予想時間差異情報を受信することを含み、
前記整合性情報を通知することは、前記位置特定信号取得情報用の観測時間差異情報を通知することを含む、方法。
【請求項１０】
無線通信装置に位置特定支援情報を送信する無線通信ネットワークにおける方法であって、
前記無線通信ネットワークから前記無線通信装置に位置特定支援情報を送信すること、
前記無線通信装置に送信された前記位置特定支援情報用の位置特定支援整合性情報を前記無線通信装置から受信すること、
を備える方法。
【請求項１１】
請求項１０に記載の方法であって、前記無線通信装置から前記位置特定支援整合性情報を受信した後、前記無線通信ネットワークによって提供された位置特定支援情報を調整することを備える、方法。
【請求項１２】
請求項１１に記載の方法であって、
前記無線通信ネットワークから前記無線通信装置に前記調整された位置特定支援情報を送信することを備える、方法。
【請求項１３】
請求項１０に記載の方法において、
前記位置特定支援情報を送信することは、調整された衛星測位システム時間を送信することを含み、
前記位置特定支援整合性情報を受信することは、調整された衛星測位システム時間オフセット情報を受信することを含む、方法。
【請求項１４】
請求項１３に記載の方法であって、前記無線通信装置から受信された前記オフセット情報に基づき、前記衛星測位システム時間を再調整することを備える方法。
【請求項１５】
請求項１０に記載の方法において、
前記位置特定支援整合性情報を受信することは、位置測定情報を受信することを含み、
方法は
前記無線通信装置から受信された前記位置測定情報に基づき、概算位置不確定性情報を調整することを備える、方法。
【請求項１６】
請求項１０に記載の方法において、
位置特定支援整合性情報を受信することは、衛星測位システム位置測定情報を受信することを含み、
方法は、
前記無線通信装置から受信された前記衛星測位システム位置測定情報に基づき、標高不確定性情報を調整することを備える、方法。
【請求項１７】
移動無線通信装置であって、
無線通信ネットワークと通信可能な無線送受信機を備え、
前記無線送受信機は、前記無線通信ネットワークから位置特定支援情報を受信するための無線受信機を含み、
前記位置特定支援情報は、前記移動無線通信装置の位置を決定するための情報を取得する際、前記移動無線通信装置を支援するためのものであり、
前記無線送受信機は、前記無線通信ネットワークから受信された前記位置特定支援情報用の位置特定支援整合性情報を送信するための送信機を含む、
移動無線通信装置。
【請求項１８】
請求項１７に記載の無線通信装置であって、
前記無線送受信機に通信可能に接続された衛星測位システム受信機を備え、
前記受信された位置特定支援情報は、ネットワーク遅延が補正された衛星測位システム時間であり、
前記無線通信装置は、前記補正された衛星測位システム時間用のオフセットを決定し、前記位置特定支援整合性情報は、前記補正された衛星測位システム時間用の前記オフセットであり、
前記送信機は、前記補正された衛星測位システム時間用の前記オフセットを送信する、
無線通信装置。
【請求項１９】
請求項１７に記載の無線通信装置において、
前記無線通信装置は、前記無線通信ネットワークに前記位置特定支援整合性情報を送信する前に、前記衛星測位システム支援情報の前記整合性を決定する、無線通信装置。
【発明の詳細な説明】
【技術分野】
【０００１】
本開示は、一般的に、無線通信に関し、特に、衛星測位システム（ＳＰＳ）支援情報をＳＰＳ使用可能移動通信装置に提供する無線通信ネットワーク、ＳＰＳ使用可能移動局及び方法に関する。
【背景技術】
【０００２】
衛星測位システム（ＳＰＳ）受信機、例えば、ＮＡＶＳＴＡＲ全地球測位システム（ＧＰＳ）受信機は、ナビゲーションに広く用いられ、また、米国連邦通信委員会Ｅ−９１１位置特定要件にまもなく適合するであろうセル方式電話を含む移動無線通信装置において位置特定情報を提供する重要な可能性を有する。また、衛星測位システム受信機使用可能セル方式電話は、位置特定ベースの商取引の成長を促進するであろう。
【０００３】
衛星測位システム（ＳＰＳ）受信機は、衛星搬送信号上で変調されたナビゲーション・データ・メッセージ情報を用いて、ナビゲーション解を算出する。しかしながら、衛星から直接ナビゲーション情報を取得することは、時間がかかることである。ＮＡＶＳＴＡＲ全地球測位システム（ＧＰＳ）では、例えば、ナビゲーション・メッセージ・データは、１秒間に５０ビット（ＢＰＳ）で送信される。このレートでは、良好な信号環境において、エフェメリス・データ（ｅｐｈｅｍｅｒｉｓ  ｄａｔａ）を取得するのに約３０秒必要であり、アルマナック・データ（ａｌｍａｎａｃ  ｄａｔａ）を取得するのに約１２分必要である。ＧＰＳ基準時間は、衛星信号を復調することによって取得し得るが、これにも相当な時間が必要である。これらの遅延は、ＧＰＳ受信機搭載のセル方式電話の携帯可能な特性によって悪化するが、セル方式電話は、都会の谷間やビル内、あるいは、衛星信号強度及び／又は品質を妨げたり大幅に劣化させたりする他の環境において移動する際、用いられることが多い。この遅延問題に対応するために、セル方式通信ネットワークが衛星測位システム支援情報、例えば、ＧＰＳ基準時間、コード体系、ドップラ、エフェメリス、アルマナック及び他の情報を、セル方式通信ネットワーク上で送られるメッセージで、ＧＰＳ受信機搭載のセル方式電話に提供することが知られている。例えば、米国特許第６，０６４，３３６号、表題”通信リンクを利用するＧＰＳ受信機”及び米国特許第６，１３４，４８３号、表題”通信システムにおける効率的なＧＰＳ支援のための方法及び装置”を参照されたい。
【発明の開示】
【発明が解決しようとする課題】
【０００４】
本発明は、衛星測位システム（ＳＰＳ）支援情報をＳＰＳ使用可能移動通信装置に提供する無線通信ネットワーク、ＳＰＳ使用可能移動局及び方法を提供する。
【発明を実施するための最良の形態】
【０００５】
本開示の様々な側面、特徴、及び利点は、次のその詳細な説明を、以下に述べる添付図と共に、入念に考察すると、当業者にはよりいっそう明らかになるであろう。
図１は、無線接続ネットワーク及びコアネットワークを一般的に含むＳＰＳ使用可能移動通信装置１０２に衛星測位システム（ＳＰＳ）支援情報を提供するための代表的な無線通信システム１００を示す。ＳＰＳ使用可能移動通信装置１０２には、一般的に、ＳＰＳ受信機１０４が含まれる。ＳＰＳ受信機１０４は、無線通信装置の付属品として一体化又は組み合わせられ、無線通信装置は、高周波又は他の周波数の送受信機１０６を含み、送受信機１０６は、コントローラ１０７に接続され、コントローラ１０７は、ユーザ入出力装置１０８に接続される。ユーザ入出力装置１０８には、表示装置、キーパッド入力装置等が含まれる。また、コントローラ１０７は、当業者には公知のメモリ１０９に接続される。無線通信装置は、オープンな標準又は独自のセル方式又は非セル方式通信プロトコルに準拠してよいが、その例については、以下に更に述べる。
【０００６】
代表的な無線接続ネットワークには、一般的に部分的に連続な対応するセル領域１１２において、無線移動局１０２に無線通信有効範囲を提供するための複数の基地送受信機局（ＢＴＳ）１１０が含まれる。また、無線接続ネットワークには、対応する組の１つ又は複数の基地送受信機局に通信可能に接続された１つ又は複数の基地局コントローラ１２０が含まれる。代表的なコアネットワークには、１つ又は複数の基地局コントローラ１２０に通信可能に接続された移動交換局・位置レジスタ（ＭＳＣ／ＶＬＲ）１３０が含まれる。移動交換局は、当業者に公知の公衆交換電話網（ＰＳＴＮ）（図示せず）に通信可能に接続される。幾つかの実施形態において、コアネットワークには、また、当業者に一般的に公知な無線ネットワークとコア・パケット・ネットワークとの間にパケット・データ・サービス提供ノード（ＰＤＳＮ）ゲートウェイが含まれる。
【０００７】
図１において、代表的な無線通信システム１００には、また、位置特定サービス（ＬＣＳ）機能をサポートするためのサービス提供移動位置特定局（ＳＭＬＣ）１４０が含まれる。ＳＭＬＣは、ネットワーク内における移動局の位置特定を行うために必要な資源の調整やスケジュール化を管理する。幾つかのネットワーク・アーキテクチャにおいて、ＳＭＬＣは、ＳＰＳ使用可能移動局から取得された擬似測距情報を用いて、位置特定解の精度を算出して推定する。図１において、代表的なＳＭＬＣ１４０は、別個のエンティティであるが、他のネットワーク・アーキテクチャでは、基地局コントローラ又は他の何らかのインフラ・エンティティと一体化し得る。
【０００８】
図１において、無線通信システム１００には、ネットワークにおける各無線セルサイト１１０用の測量された基準位置データを含むセルデータベース１４２が含まれる。ブロック１４３において、例えば、セルデータベースには、各基地局用の緯度及び経度位置情報、対応する標高及び不確定性情報、例えば、不確定性楕円面情報、並びに、各セルサイト用の現在の基準時間オフセットが含まれる。基準時間オフセットは、ＳＰＳ時間のセルサイトへの通信における遅延を補正するが、これについては、以下に詳述する。
【０００９】
代表的な無線通信ネットワークには、移動通信（ＧＳＭ）プロトコル・ネットワーク用の全地球システム、第三世代（３Ｇ）ユニバーサル移動体通信システム（ＵＭＴＳ）Ｗ−ＣＤＭＡプロトコル・ネットワーク、衛星通信ネットワークを含むセル方式ネットワークの中でもとりわけ幾つかの様々なＣＤＭＡプロトコル・ネットワークの内の１つ、将来世代の無線通信プロトコル・ネットワーク、又は、それらの組合せが含まれる。代表的な通信ネットワークは、セル方式ネットワークであるが、本開示は、また、１つ又は複数の無線通信装置にＳＰＳ支援情報を送信する非セル方式無線通信システムに適用可能である。しかしながら、本開示は、いずれか特定の無線通信ネットワークに限定されない。
【００１０】
図１において、移動局１０２及び、特に、そのＳＰＳ受信機は、測位システム（ＳＰＳ）群１６０の１つ又は複数の衛星から受信された信号に基づき、自在に移動したり位置情報を算出したりする。代表的な地球向けのＳＰＳ群には、これらに限定しないが、ＮＡＶＳＴＡＲ＿ＧＰＳ、ＧＬＯＮＡＳＳ＿ＳＰＳ及び提案されたガリレオＳＰＳが含まれる。もっと一般的には、ＳＰＳ群は、地球以外の天体、例えば、月や他の惑星の周回軌道を回ってよい。本開示は、いずれか特定の種類のＳＰＳ群又はシステムに限定されない。一実施形態において、ＳＰＳナビゲーション情報は、例えば、当業者に一般的に公知の無線通信ネットワークに通信可能に接続された地球上の基準エンティティによって、取得される。
【００１１】
幾つかの実施形態において、一般的に、無線通信ネットワークは、無線通信装置の位置特定機能にＳＰＳ支援情報を送信して、例えば、位置情報演算を速めてＥ−９１１位置特定要件に適合させる。図１において、例えば、支援メッセージ等のＳＰＳ支援情報は、無線通信インターフェイスを介して、基地送受信機局１１０から無線移動局１０２に送信される。無線通信装置１０２及び特にＳＰＳ受信機１０４は、支援情報を用いて、衛星を捕捉して追跡したり、また、幾つかの実施形態では、擬似測距情報及び位置解を算出したり、更に、当業者に一般的に公知の他の機能を遂行する。幾つかの応用例では、無線通信装置は、位置解を算出して通信ネットワークに返し、また、他の応用例では、ネットワークは、ＳＰＳ受信機から取得された擬似測距情報を用いて、位置解を算出する。
【００１２】
支援情報の具体的内容は、個々の用途に依存する。幾つかのセル方式通信ネットワークにおいて、ＳＰＳ支援メッセージの内容は、様々な通信標準プロトコルによって規定される。代表的な支援情報には、これらに限定しないが、エフェメリス、ＳＰＳ時間、コード体系及びドップラ情報が含まれ、その幾つかは、ＳＰＳ衛星から直接的に又は間接的にネットワークによって取得される。支援情報には、無線通信装置１０２の位置決定機能を支援し得る衛星から取得されない情報が含まれる。代表的な情報には、装置１０２の概算位置及び／又は標高が含まれる。一実施形態において、概算位置及び／又は標高情報は、上述したセルデータベース１４２から取得されるような、装置が最も近くに位置するセルサイトの位置である。
【００１３】
図１において、タイミング発生源１４４は、ＳＰＳ衛星時間を取得して無線通信装置１０２への通信を行う。一実施形態において、タイミング発生源は、ネットワーク時間プロトコル（ＮＴＰ）サーバから現在のＳＰＳ時間を引き出す。他の選択肢として、ＳＰＳ時間は、ＳＰＳ信号から直接的に取得し得る。タイミング発生源１４４は、一般的に、例えば、以下に更に詳述するように、セルデータベース又は何らかの他の情報源から取得される時間オフセット情報を用いて、ＳＰＳ時間を調整して、移動局への送信の際のネットワーク遅延を補正しなければならない。補正されたＳＰＳ基準時間は、本明細書では、ＧＰＳ又はＳＰＳ基準時間と呼称する。
【００１４】
一実施形態において、ＳＰＳ使用可能無線通信装置は、無線通信ネットワークに衛星測位システム支援整合性情報を通知する。整合性情報は、明示的な情報であってよく、また、他の実施形態では、無線通信装置がネットワークに通知する何らかの他の情報中に、又は、それによって暗示してもよい。ネットワークは、整合性情報を用いて、支援情報を訂正又は調整したり、また、誤差又は誤りの発生源を隔離したりできる。
【００１５】
幾つかの位置特定アーキテクチャでは、無線通信装置には、位置解の算出及び／又は擬似測距を支援するための正確なＳＰＳ時間が必要である。正確でない時間支援の場合、ＳＰＳ時間が、ある範囲（例えば、＋／−２秒）以内の精度であることが重要である。更に精密な支援の場合、精度を衛星信号のデータビット期間の２分の１以内にすることが望ましい。上述したように、一般的に、無線通信ネットワーク上でのＳＰＳ時間の通信に関係する何らかの遅延が存在する。固定された遅延もあれば、また、時間や位置と共に変動する遅延もある。ネットワークは、従って、ＳＰＳ時間を調整することによって、例えば、特定のセルサイト・オフセットに基づき、遅延を補正しなければならないが、この補正は、常に正確であるとは限らない。補正されたＳＰＳ基準時間は、本明細書では、ＳＰＳ基準時間と呼称する。
【００１６】
このように、一実施形態において、ネットワークと無線通信装置との間の信号伝達は、例えば、無線通信装置におけるＳＰＳ受信機によって測定されるオフセット時間の形態で、ネットワークにＳＰＳ基準時間整合性情報を提供するように強化される。ネットワークは、整合性情報を利用して、位置解誤りの発生源を隔離し、また、幾つかの実施形態では、ネットワークによって提供される後続のＳＰＳ基準時間を動的に再調整し得る。図１において、例えば、ネットワークは、無線通信装置１０２から受信されたオフセット時間を用いて、特定の基地局又はセルデータベース１４２に記憶されたセルサイトに対応するオフセットを更新し得る。この場合、整合性は、ＳＭＬＣ１４０からセルデータベース１４２及び／又はタイミング発生源１４４に伝達される。
【００１７】
図２の代表的なプロセス図２００では、論理ブロック２１０において、位置要求プロトコルは、例えば、Ｅ−９１１通話等の緊急通話を行う際、又は位置更新もしくは位置情報が必要な位置特定ベースサービスを要求するか、もしくはそれを用いる際、起動される。幾つかの実施形態では、この要求は、移動局において又はそれによって起動され、また、他の実施形態では、この要求は、ネットワークにおいて又はそれによって起動される。ブロック２２０において、ネットワークは、タイミング発生源、例えば、上述した図１のタイミング発生源１４４からＳＰＳ時間を取り出す。ブロック２３０において、ＳＰＳ時間が調整され、ネットワークと無線通信装置との間の送信遅延を補正するＳＰＳ基準時間が生成される。ブロック２４０において、ＳＰＳ基準時間は、例えば、支援メッセージの一部として、無線通信装置に送られる。ブロック２５０において、無線通信装置は、他の位置特定情報、例えば、位置解、又は位置解を算出する際にネットワークによって用いられる擬似測距情報と共に、無線通信ネットワークに時間オフセット情報を返す。
【００１８】
無線通信装置が無線通信ネットワークに時間オフセット情報を返す代表的な一実施形態において、オフセット時間情報は、ネットワークから受信された調整済みＳＰＳ基準時間と、無線通信装置において決定された実際のＳＰＳ時間とを比較することによって、無線通信装置において決定される。図１において、この比較は、ＳＰＳ受信機１０４によってか、あるいはコントローラ１０７によって実施し得る。ＳＰＳ受信機においてＳＰＳ時間を正確に決定するための方式は、当業者には、一般的に公知である。こうして、ＳＰＳ使用可能無線通信装置は、ＳＰＳ受信機によって決定された正確なＳＰＳ時間を用いて、ネットワークによって提供されたＳＰＳ基準時間の誤差を決定する。ＳＰＳ受信機が誤差を決定することもある。図１において、整合性情報は、無線送受信機１０６を用いて、無線通信装置によって伝達される。
【００１９】
図２において、ブロック２６０では、ネットワークは、無線通信装置から受信された時間オフセット情報を評価して、ＳＰＳ基準時間を再調整するかどうか判断する。ブロック２６４において、新しい調整量が計算される。ブロック２３０において、ネットワークは、ブロック２６４で算出された新しい調整量に基づき、新しい再調整されたＳＰＳ基準時間を算出する。その後、ネットワークは、無線通信装置及び／又は時間支援を要求する他の装置に再調整済みＳＰＳ基準時間を提供する。幾つかの実施形態において、ネットワークは、このように、ＳＰＳ使用可能無線通信装置から取得したオフセット時間情報に基づき、ＳＰＳ基準時間を動的に再調整する。
【００２０】
図２において、ブロック２３０では、ブロック２３０でＳＰＳ基準時間を生成するＳＰＳ時間の調整は、一般的に、ネットワーク遅延に依存し、ネットワーク遅延は、距離、ネットワークトラフィック及び他の要因に依存し得る。従って、調整は、一般的に、ネットワークの異なる部分に対して、例えば、公衆陸上移動体ネットワーク（ＰＬＭＮ）内における異なるセルサイト又は位置エリア（ＬＡ）に対して、異なる。図１の代表的なセルデータベースにおいて、各セルサイトは、対応するＳＰＳオフセット時間を有する。同様に、オフセット時間情報に基づく基準時間の再調整は、特定の地理的エリア、例えば、時間オフセット情報を提供するＳＰＳ使用可能装置が位置する特定の位置エリア（ＬＡ）に限定し得る。
【００２１】
図３は、ＭＳ支援によるＧＰＳ位置特定プロトコルを実行する無線通信ネットワークにおける基地局３１０と無線移動局（ＭＳ）（ハンドセット１）３１２との間の通信の代表的なシーケンスを示す。ＭＳ支援によるプロトコルの下で、位置解は、ＭＳによって提供された情報を用いて、ネットワークにおいて算出される。３２０において、ハンドセット３１２は、ＳＰＳ基準時間が含まれるＭＳ支援による位置特定要求情報を基地局３１０から受信する。幾つかの実施形態では、３２２において、ハンドセット３１２は、追加の支援情報を要求する。３２４において、基地局は、他のＭＳ支援による位置特定要求を送信し、取得支援情報をハンドセット３１２に送る。３２６において、ハンドセット３１２は、擬似測距結果及びオフセット時間情報を基地局に送る。オフセット情報は、ＳＰＳ基準時間を改善するためにネットワークによって用いられ、ＳＰＳ基準時間は、その後、ハンドセット３１２及び他のハンドセット、例えば、図３のハンドセット３１４に送信し得る。一般的に、ハンドセット３１４は、３３０において、位置特定要求及び支援情報を基地局３１０から受信する。その後、ハンドセット３１４は、３３２において、要求位置情報及びＳＰＳ時間オフセット情報を返す。場合によっては、ネットワークは、初期測定結果を受信した後、他の位置特定要求をハンドセットに送信してもよい。
【００２２】
図４は、位置解がＭＳにおいて算出される場合、ＭＳベースのＳＰＳ位置特定プロトコルを実行する無線通信ネットワークにおける基地局４１０と無線移動局（ハンドセット１）４１２との間の通信の代表的なシーケンスを示す。４２０において、基地局４１０は、ＧＰＳ衛星ナビゲーション及び電離層のモデル化情報をＭＳ４１２に送る。４２２において、基地局は、基準位置及びＧＰＳ基準時間情報と共に、位置特定要求をＭＳ４１２に送る。４２４において、ＭＳ４１２は、位置推定通知及び時間オフセット情報を基地局に送る。その後、基地局は、図１及び２に関して上述したように、オフセット情報を用いて、基準時間を再調整し得る。オフセット情報は、ＳＰＳ基準時間を改善するためにネットワークによって用いられ、ＳＰＳ基準時間は、その後、ハンドセット４１２及び他のハンドセット、例えば、図４のハンドセット４１４に送信し得る。一般的に、ハンドセット４１４は、４３０において、位置特定要求及び支援情報を基地局４１０から受信する。ハンドセット４１４は、その後、４３２において、要求位置特定情報及びＳＰＳ時間オフセット情報を返す。場合によっては、ネットワークは、初期位置測定結果を受信した後、他の位置特定要求をハンドセットに送信し得る。
【００２３】
更に一般的には、無線通信装置は、ＳＰＳ基準時間以外の支援情報用の整合性又は誤差情報を通知し得る。無線通信装置は、例えば、位置解を算出した後、ネットワークによって提供された概算位置及び／又は標高情報用の整合性又は誤差を決定し得る。無線通信装置が整合性情報を提供する対象である他の種類の支援情報には、これらに限定しないが、衛星測位システム・ナビゲーション・モデル化情報、例えば、エフェメリス及び／又はアルマナック・データのような衛星測位システム取得情報が含まれる。
【００２４】
他の実施形態において、ナビゲーションモデル化情報の整合性は、無線通信装置からネットワークに伝達される。ナビゲーションモデル情報が、ＳＰＳ受信機が他の情報源から取得し得る情報より古いと判断される場合、あるいは、モデル化情報が古すぎるという理由がある場合、ＳＰＳ受信機は、１つ又は複数の衛星用のナビゲーションモデルの拒否を決定し得る。この場合、ＳＰＳ受信機は、他の情報源、例えば、直接的に衛星からナビゲーションモデル化情報を取得する必要があり得る。従って、幾つかの実施形態において、無線通信装置は、支援情報が適切であるかどうか示すことによって、支援情報の整合性を通知する。例えば、わずか数時間の間に劣化するエフェメリス・データをネットワークが送信する応用例において、無線通信装置は、エフェメリス・データが陳腐化していることをネットワークに示し得る。
【００２５】
他の実施形態において、ネットワークは、移動局から受信された測定通知に基づき提供されたＳＰＳ基準位置及び／又は基準標高情報の整合性又は品質を決定する。幾つかの実施形態において、ネットワークは、基地局によってサービスが提供される移動局から受信された測定通知に基づき、概算の測位不確定性パラメータ、例えば、楕円面サイズ及び形状を動的に調整する。標高情報に対しても同様な調整を行い得る。これによって、基準位置及び／又は標高情報には、自動較正及び微細調整がなされる。
【００２６】
上述した代表的な実施形態は、衛星測位システムベースの位置特定方式を対象にしたが、本開示は、更に一般的に、無線通信装置が、その位置を決定するための情報を取得する際、無線通信装置を支援するための位置特定支援情報を受信するあらゆる位置特定方式に適用される。他の位置特定方式には、強化観測時間差法（Ｅ−ＯＴＤ）が含まれる。（Ｅ−ＯＴＤ）位置特定用途では、サービス提供基地局は、基地局識別並びに対応する周波数及び予想時間差異情報の形態で、位置特定支援情報を無線通信装置に提供する。Ｅ−ＯＴＤ使用可能移動無線通信装置は、位置特定支援情報を用いて、識別された基地局信号を取得する。無線通信装置によってネットワークに通知された位置特定支援整合性情報は、観測時間差異又は予想と観測時間差異との間の誤差であってもよい。他の位置特定方式では、他の位置特定支援情報が、移動無線通信装置に提供され、また、対応する整合性情報が、ネットワークに送られる。
【００２７】
本開示及び現時点においてその最良の形態と思われるものについて、本発明者による所有を確立するように、また、当業者がそれらを作製し使用できるように説明したが、本明細書で述べた代表的な実施形態には、数多くの等価物が存在すること、また、本発明の範囲と技術思想から逸脱することなく、それらに対して修正や変更を行うことが可能であり、本発明は、これら代表的な実施形態によってではなく添付の特許請求の範囲によって限定されることを理解し認識されたい。
【図面の簡単な説明】
【００２８】
【図１】ＳＰＳ使用可能無線通信装置に衛星測位システム（ＳＰＳ）支援情報を提供する代表的な無線通信ネットワーク。
【図２】代表的なプロセスフロー図。
【図３】移動局支援による位置特定プロトコルを実行する通信ネットワークにおける代表的な通信シーケンス。
【図４】移動局ベースの位置特定プロトコルを実行する通信ネットワークにおける代表的な通信シーケンス。
【図１】
2006203861.tif 000003
【図２】
2006203861.tif 000004
【図３】
2006203861.tif 000005
【図４】
2006203861.tif 000006
【外国語明細書】
2006203861.tif 000007
2006203861.tif 000008
2006203861.tif 000009
2006203861.tif 000010
2006203861.tif 000011
2006203861.tif 000012
2006203861.tif 000013
2006203861.tif 000014
2006203861.tif 000015
2006203861.tif 000016
2006203861.tif 000017
2006203861.tif 000018
2006203861.tif 000019
2006203861.tif 000020
2006203861.tif 000021
2006203861.tif 000022
2006203861.tif 000023
2006203861.tif 000024
2006203861.tif 000025
2006203861.tif 000026
2006203861.tif 000027
2006203861.tif 000028
2006203861.tif 000029
2006203861.tif 000030
2006203861.tif 000031
2006203861.tif 000032